(57)【要約】      （修正有）【課題】これは、ヘソ軸パットという、新パット出生にともなう、既製アイアンの改造出願である。【解決手段】ヘソ軸パットでは、アイアンをパター向きにつくり、パターとして使う。そして、球を左辺遠くにおき、アドレス位置を球から２０ｃｍも離し、ノーバックで球をめくら打ちする。ヘソ軸パットでは、厚さ１２ミリぐらいの板状のアイアンを使う。【選択図】図１
2004313727.tif 000002
【特許請求の範囲】
【請求項１】
ロフト角が１４度から、マイナス５度迄の間である事を特徴とする、従来にない、溝の着いたアイアンのヘッド。
【請求項２】
シャフトの長さが、７５〜８５ｃｍの間である事を特質とする、本文記述の、溝の着いたアイアン。
【請求項３】
ヘッドの厚さを、１０〜１４ミリの間とし、下辺〜上辺、左辺〜右辺、中辺等どの位置も一様な厚さに作る、本文記述の板状の溝の着いたアイアンのヘッド。
【請求項４】
第３項のアイアンにおいて、その裏面にクボミを作ったり、エンディングラインを薄くしたりして、上下左右、中辺の厚さが一様でない事を特徴とする、溝の着いたアイアンのヘッド。
【請求項５】
垂直線に対して、シャフトの取着け角度が、１０〜１５度迄の間である事を特徴とする、従来にない、シャフトの立ったアイアン。
【請求項６】
上記の各請求項、２以上をセットにした、ヘソ軸パット用のアイアン。
【発明の詳細な説明】
【０００１】
【産業上の利用分野】
類似調査の結果−類似出願なし。
これは、これ迄にない、１番アイアン以下のアイアン創作に関わるものである。
市販の１番アイアンのロフト角は、約１６度である。したがって、ここに登場のアイアンは、度数で表現すると、１４度から、マイナス５度迄の間のアイアン、という事になる。
１番以下のアイアン創作の動機は、ヘソ軸パット、という、球を左辺に置いて、ノーバックで打つという新パットの発想である。
この発明が目指すものは、アイアンを、パター向きに、又、新打法向きに改造して、アイアンをパターとして使うという事である。
【０００２】
【従来の技術】
現行のパットのストローク軸は、図３のＢに示す如く、肩である。よって、現行のパットは肩軸パット、と言い変える事が出来る。
ここに登場の、図３のＡの新打法では、ヘソ周辺に右ヒジを固定し、ノーバックで、又、球を見ずに、一直線に、カップとラインを見ながら打球する。よって都合上この新打法に、ヘソ軸パット、という名前をつけて以下に解明をこころ見る。
ヘソ軸パットには、ヘソ軸用アイアン、という事であるが、その前に、ヘソ軸パットのアウトラインについて、少し説明しておきたい。
従来のパットの球の位置は、ほぼ正面と決っている。しかし、ヘソ軸パットでは、図２で示す如く、球の位置を左足先の横、左足先前の左と決定する。
従来のアドレス位置は、球の直後と決っているが、ヘソ軸パットでは、アドレス位置を、球から大きく引離す。ショートでは１５ｃｍ、ミドルでは２０ｃｍ、ロングては３０ｃｍぐらいとする。
そして、アドレスの後は、ノーバックで、カップインラインに集中して一直線に球をめくら打ちする。
顔を左右に振って、球とカップの両方を同時に見る従来の打法は、集中する事が出来ない、精神分裂同居打法、という事が出来る。論より証拠、パットは意外性が強いと良く言われ、１ｍを３パットしたりする。
この意外な事が起きる原因は、二点集中の不合理打法にあるとするのが、このヘソ軸、一点集中、めくら打ち打法の立場である。
【０００３】
【発明が解決しようとする課題】
先ず、アイアン製作上のルールについてしらべて見る。シャフトの長さは、４５７．２ミリ以上、シャフトの取着け角度は１０度以上。フェースは平面。溝の深さとか、間かくとか、又、グリップ等について若干の規定、ロフト角は自由。
要するに、かかる一連のきまりをクリアーして居るものは、公式戦ＯＫと分って来る。ヘソ軸パットでは、先ずアイアンのシャフトの長さを、現行のパターより少し短かい、７５〜８５ｃｍと決定する。
そして、ヘッドの厚さを、１０〜１４ミリの間と決め、ヘッドの形状を板状と決める。ここに言う板状とは、下辺〜上辺、左辺〜右辺、等どの位置でも一様に作る、という事である。
それとは別に、アイアンの裏面については、何も規定がないので、既製のアイアンに見られる如く、クボミを作ったり、エンディングラインを薄くしたりして、ヘッドの多様化をはかる。この様に重心を低く作ると、尚一層使い良くなる。
【０００４】
【課題を解決する為の手段】
上記によって、ヘソ軸パット及び、その用具のあらましが分って来た、という事であるが、新しいアイアンの構造等について、更に解明して行く。
図１の１は、ヘソ軸用アイアンの正面図。図２の４、５は、ショート、４′、５′はロングの平面図である。
図１の１は垂直線、２はヘソ軸用アイアンのシャフト、３は角度である。ヘソ軸パットでは、アイアンを身体に近づけ、シャフトを立てて使う。
アドレスポジションを取った時のアイアンの略図が、１、２、３という事であるがルールでシャフトの角度は１０度以上と決められて居るから、したがってここでは、１０度から１４度迄のシャフト角を目指す、という事になる。尚、市販のパターのシャフト角は約１５度、そして、図１の３は１０度である。
【０００５】
【作用】
アイアンの溝は、球と良くこすれ合う工夫、という事であるが、この溝をパターのフェースに着ける事はルール違反・・・。そこでここでは、溝の着いたアイアンのシャフトを短くしたり、シャフトの取着け角度を調整したりして、パター向きに改造という事である。この改造アイアンの主たる作用は、小ワザ、小細工が良くきくアイアンということである。
従来の肩軸打法では、たとえ、短軸にしたり、シャフト角を変えて使ったとしても大した作用は発生しない。ところが、アイアンの改造と、ヘソ軸が合体すると、そこに鮮明な作用が派生する。
従来の肩軸では、正面に置かれた球を、１ｃｍ単位で前後左右に自由にいじり回す事は出来ない。しかし、ヘソ軸では、ストロークの軸が約３分の１短かくなる関係で、１ｃｍ単位の球いじりが、かなり正確に自由に出来る様になる。
画家が目やはなを書き入れたり、書家が細字を書く時には、必ず、手首軸で書いたり、ヒジ軸で書いたりする。何の事はない、ヘソ軸パットというのは、ヒジ軸パット、というのと同じであり、自然界に存在して居た、小細工が効く打球フォームが、縁に触れて、ここに出生した、というだけの事である。
【０００６】
【実施例】
球の打ち方には、ルールで禁止して居る、押し打ち、かき寄せ、すくい上げ、それに、正しい打ち方の四つしかないが既述の如く、ヘソ軸パットでは１５〜３０ｃｍぐらい離してアドレスをとり打球する。球はコツンと打てて居、ヘソ軸パットがルールに触れる、という事は考えにくい。
禁止されて居る三つの打ち方は、何れもごく短い打球に関係しており、ヘソ軸パットでは、ショートでも１５ｃｍのダウンスイングがあり、このパットの打ち方を違法パットだと決めつける事は難かしい。
裁定集には、球とフェースの間に１ｃｍの間かくがあれば、球は正しく打てる、という明記がある。この事の意味するものは、ヘソ軸パットＯＫ、ということ、同時に、図１のアイアンの実施には、技術的にもルール的にも問題点はない、という事の様である。
【０００７】
【発明の効果】
図３のＣは、サムスニードのサイド・サドルパットえの、ヘソ軸パット応用の平面図である。球とアドレス位置の関係、それに、ヘソ軸、ノーバック、一直線めくら打ち等、すべて横向き打法の場合と同じである。
横目で目標を見る従来のパットのフォームは、不自然不合理この上もない。猛じゅうは獲物を追うのに、真正面に見て追う・・・。当然の事である。しかし乍らパットではこの原則が無視されて居る。
将来的には、図３のサイド・サドルパット、又、ヘソ軸パットへと、新しい流れが出初める可能性がある。
この発明の効果は、今すぐ、体験、判定する事が出来る。キャッシュインパターを庭先に持ち出し、図の如く、又、説の如く打球して見ると良い。恐らく第一打を打つこの時点でこの発明の効果が頭脳に自然発生するものと思われる。ヘソ軸パット用のアイアンと、キャッシュインとは、溝のあるなしや軸の長さや角度は違うが、殆んど同じと見て先ず間違いはない。
【図面の簡単な説明】
図１は、ヘソ軸パット用のアイアン正面図。
図２は、ショート及びロングのアドレス位置平面図。
図３の、Ａはヘソ軸パットの実況アドレス図。Ｂは従来のパット状況図。Ｃはサイド・サドル平面図。
【符号の説明】
１は、垂直線。
２は、シャフト。
３は、シャフト角度。
４、４′は、球。
５、５′は、アドレス位置。
【図１】
2004313727.tif 000003
【図２】
2004313727.tif 000004
【図３】
2004313727.tif 000005